(57)【特許請求の範囲】
【請求項１】
縦長の基枠体の支持板に沿って中枠施錠杆及びガラス枠施錠杆が上下に摺動可能に配設され、該基枠体の正面に該支持板に対し略直角に設けた取付板に、シリンダ錠が取り付けられ、該シリンダ錠の錠軸にカム部材が固定され、該中枠施錠杆及びガラス枠施錠杆が該カム部材に係合可能とされ、該基枠体がパチンコ機の中枠に取り付けられ、該中枠施錠杆の背面側に突設された鉤部が本体枠側の受け部に係止されて該中枠を施錠し、該ガラス枠施錠杆の正面側に突設された鉤部がガラス枠側の受け部に係止されて該ガラス枠を施錠するパチンコ機の施錠装置において、
該中枠施錠杆を該シリンダ錠の解錠操作により解錠位置に摺動させたとき、係止部を該中枠施錠杆の係止凹部に係止させて解錠状態を保持する中枠解錠保持部材が、該基枠体に揺動可能に枢支され、
該中枠解錠保持部材には、該中枠施錠杆の該鉤部が係止される本体枠側の受け部に当接可能な当接部が設けられると共に、該鉤部が該受け部に係止されたとき、該鉤部との間で該受け部を挟む位置にロック部が設けられ、
該中枠を該本体枠に対し閉じたとき、該当接部が該受け部に当接して該中枠解錠保持部材が揺動し、該係止部の係止を解除して解錠状態を外し、ばね力により該中枠施錠杆を摺動させて施錠状態とするように構成され、
該ガラス枠施錠杆を該シリンダ錠の解錠操作により解錠位置に摺動させたとき、係止部を該ガラス枠施錠杆の係止凹部に係止させてその解錠状態を保持するガラス枠解錠保持部材が、該基枠体に揺動可能に枢支され、
該ガラス枠解錠保持部材には、該ガラス枠施錠杆の該鉤部が係止される本体枠側の受け部に当接可能な当接部が設けられると共に、該鉤部が該受け部に係止されたとき、該鉤部との間で該受け部を挟む位置にロック部が設けられ、
該ガラス枠を該中枠に対し閉じたとき、該当接部が該受け部に当接して該ガラス枠解錠保持部材が揺動し、該係止部の係止を解除して解錠状態を外し、ばね力により該ガラス枠施錠杆を摺動させて施錠状態とするように構成され、
該カム部材の近傍の該中枠施錠杆またはガラス枠施錠杆に、ロック係止部を有したロック部材が揺動可能に枢支され、該ロック係止部が係合可能なロック凹部が該中枠施錠杆及び該ガラス枠施錠杆に設けられ、
該ロック部材は、該中枠施錠杆及び該ガラス枠施錠杆が施錠状態のとき、該ロック係止部を該ロック凹部に係止させて該中枠施錠杆及び該ガラス枠施錠杆の摺動をロックし、該シリンダ錠による解錠操作時、該カム部材の回動により該ロック部材が揺動してロックを解除することを特徴とするパチンコ機の施錠装置。
【請求項２】
前記シリンダ錠を取り付けた取付板の幅広部近傍における前記支持板と背面板に、開口部が形成され、該開口部の内側にカム室が形成され、該シリンダ錠の錠軸のカム部材が該カム室内で、前記中枠施錠杆、前記ガラス枠施錠杆及び前記ロック部材に係合可能とされ、該カム室の側面から背面を覆うようにカバーが取り付けられたことを特徴とする請求項１記載のパチンコ機の施錠装置。
【発明の詳細な説明】
【技術分野】
【０００１】
本発明は、パチンコ機の中枠（前面枠）に取り付けられ、中枠を本体枠に対し施錠し、且つ中枠に対し開閉可能に取り付けられたガラス枠を施錠するパチンコ機の施錠装置に関する。
【背景技術】
【０００２】
パチンコ機の中枠（前面枠）は、本体枠の前面に、ヒンジを介して開閉可能に装着され、さらに中枠の前面にガラス枠が開閉可能に装着される。このような中枠に取り付けられ、中枠を本体枠に対し施錠し、且つ中枠に対し開閉可能に取り付けられたガラス枠を施錠するパチンコ機の施錠装置として、上部と下部にフック状の係止爪を背面側に突設した中枠用施錠杆と、上部と下部にフック状の係止爪を正面側（シリンダ錠側）に突設してなる長尺のガラス枠用施錠杆とを、縦長の基枠体内に、上下摺動可能に配設した施錠装置が、下記特許文献１により提案されている。
【０００３】
この施錠装置は、基枠体に取り付けたシリンダ錠の錠軸に固定したカム板を、中枠用施錠杆とガラス枠用施錠杆に係合可能とし、シリンダ錠を解錠操作したとき、中枠用施錠杆またはガラス枠用施錠杆に係合させてそれを摺動させ、中枠用施錠杆またはガラス枠用施錠杆に設けた係止爪と本体枠側またはガラス枠側の受け金具との係合を解除して解錠を行なう。
【０００４】
さらに、この施錠装置のガラス枠用施錠杆は、解錠操作時に摺動端まで移動したとき、基枠体に回動可能に枢支されたロック部材のロック片がガラス枠用施錠杆の一部に設けた切欠に係合してガラス枠用施錠杆をロックし、それにより、ガラス枠用施錠杆を解錠状態に自己保持させる構造となっている。このため、施錠装置を設けた遊技機のガラス枠を閉じると、ガラス枠の一部がロック部材に当接して、ロック部材がロックを解除する方向に回動し、ロックの解除に伴い、ガラス枠用施錠杆がコイルばねの付勢力によって施錠方向に摺動し、その係止爪とガラス枠側の受け金具とが係合し、ガラス枠が施錠状態となる。
【先行技術文献】
【特許文献】
【０００５】
【特許文献１】特開２００５−２９６４０３号公報
【発明の概要】
【発明が解決しようとする課題】
【０００６】
しかし、この解錠時自己保持型の施錠装置は、基枠体の一部に回動可能に枢支されたロック部材が、解錠時にそのロック片をガラス枠用施錠杆の切欠に係止させて、ガラス枠用施錠杆を解錠状態に保持するように動作するが、ガラス枠を施錠状態としたとき、そのロック部材は、ガラス枠用施錠杆に対し何の作用もしない。このため、ガラス枠用施錠杆に対し、外部から挿入された不正器具により解錠方向の不正力が加わった場合、ガラス枠用施錠杆が解錠方向に移動し、不正解錠が行なわれる虞があった。
【０００７】
本発明は、上記の点に鑑み、解錠時、施錠杆が解錠状態に保持される解錠時自己保持型のパチンコ機の施錠装置において、針金などの不正器具による不正解錠を防止することができるパチンコ機の施錠装置を提供することを目的とする。
【課題を解決するための手段】
【０００８】
上記の目的を達成するために、本発明の請求項１のパチンコ機の施錠装置は、
縦長の基枠体の支持板に沿って中枠施錠杆及びガラス枠施錠杆が上下に摺動可能に配設され、該基枠体の正面に該支持板に対し略直角に設けた取付板に、シリンダ錠が取り付けられ、該シリンダ錠の錠軸にカム部材が固定され、該中枠施錠杆及びガラス枠施錠杆が該カム部材に係合可能とされ、該基枠体がパチンコ機の中枠に取り付けられ、該中枠施錠杆の背面側に突設された鉤部が本体枠側の受け部に係止されて該中枠を施錠し、該ガラス枠施錠杆の正面側に突設された鉤部がガラス枠側の受け部に係止されて該ガラス枠を施錠するパチンコ機の施錠装置において、
該中枠施錠杆を該シリンダ錠の解錠操作により解錠位置に摺動させたとき、その係止部を該中枠施錠杆の被係止部に係止させて解錠状態を保持する中枠解錠保持部材が、該基枠体に揺動可能に枢支され、
該中枠解錠保持部材には、該中枠施錠杆の該鉤部が係止される本体枠側の受け部に当接可能な当接部が設けられると共に、該鉤部が該受け部に係止されたとき、該鉤部との間で該受け部を挟む位置にロック部が設けられ、
該中枠を該本体枠に対し閉じたとき、該当接部が該受け部に当接して該中枠解錠保持部材が揺動し、該係止部の係止を解除して解錠状態を外し、ばね力により該中枠施錠杆を摺動させて施錠状態とするように構成され、
該ガラス枠施錠杆を該シリンダ錠の解錠操作により解錠位置に摺動させたとき、その係止部を該ガラス枠施錠杆の被係止部に係止させてその解錠状態を保持するガラス枠解錠保持部材が、該基枠体に揺動可能に枢支され、
該ガラス枠解錠保持部材には、該ガラス枠施錠杆の該鉤部が係止される本体枠側の受け部に当接可能な当接部が設けられると共に、該鉤部が該受け部に係止されたとき、該鉤部との間で該受け部を挟む位置にロック部が設けられ、
該ガラス枠を該中枠に対し閉じたとき、該当接部が該受け部に当接して該ガラス枠解錠保持部材が揺動し、該係止部の係止を解除して解錠状態を外し、ばね力により該ガラス枠施錠杆を摺動させて施錠状態とするように構成され、
該カム部材の近傍の該中枠施錠杆またはガラス枠施錠杆に、ロック係止部を有したロック部材が揺動可能に枢支され、該ロック係止部が係合可能なロック凹部が該中枠施錠杆及び該ガラス枠施錠杆に設けられ、
該ロック部材は、該中枠施錠杆及び該ガラス枠施錠杆が施錠状態のとき、該ロック係止部を該ロック凹部に係止させて該中枠施錠杆及び該ガラス枠施錠杆の摺動をロックし、該シリンダ錠による解錠操作時、該カム部材の回動により該ロック部材が揺動してロックを解除することを特徴とする。
【０００９】
この発明の施錠装置によれば、施錠状態において、ロック部材がそのロック係止部を、中枠施錠杆及びガラス枠施錠杆のロック凹部に係止させて中枠施錠杆及びガラス枠施錠杆の摺動をロックするので、シリンダ錠を使用せずに不正に中枠施錠杆またはガラス枠施錠杆を解錠側に摺動させようとしても、不可能となり、不正解錠を防止することができる。
【００１０】
また、中枠解錠保持部材には、中枠施錠杆の鉤部が受け部に係止されたとき、その鉤部との間で受け部を挟む位置にロック部が設けられるので、中枠施錠杆または基枠体がその鉤部を受け部から外す側に不正に力を受けた場合でも、中枠施錠杆または基枠体は、受け部がロック部と鉤部により挟まれて解錠側に移動できず、中枠の不正解錠を防止することができる。
【００１１】
同様に、ガラス枠解錠保持部材には、ガラス枠施錠杆の鉤部が受け部に係止されたとき、その鉤部との間で受け部を挟む位置にロック部が設けられるので、ガラス枠施錠杆または基枠体がその鉤部を受け部から外す側に不正に力を受けた場合でも、ガラス枠施錠杆または基枠体は受け部がロック部と鉤部により挟まれて移動できず、ガラス枠の不正解錠を防止することができる。
【００１２】
さらに、シリンダ錠による解錠時、カム部材が回動してロック部材を揺動させ、そのロック係止部のロック凹部への係止を解除するので、中枠施錠杆またはガラス枠施錠杆が摺動可能となって解錠位置まで摺動し、それにより中枠施錠杆の鉤部が受け部から外れ、或いはガラス枠施錠杆の鉤部が受け部から外れて、解錠され、さらに、中枠施錠杆が解錠側の端部まで移動したとき、中枠解錠保持部材の係止部を中枠施錠杆の係止凹部に係止させて解錠状態を保持し、同様に、ガラス枠施錠杆が解錠側の端部まで移動したとき、ガラス枠解錠保持部材の係止部をガラス枠施錠杆の係止凹部に係止させて解錠状態を保持する。
【００１３】
そのような解錠状態で、中枠を閉じると、中枠解錠保持部材の当接部が受け部に当接して中枠解錠保持部材が揺動し、その係止部の係止を解除して解錠状態を外し、ばね力により中枠施錠杆を施錠位置に摺動させるので、中枠を閉じたとき、少ない摩擦抵抗により軽く施錠することができる。また、ガラス枠を閉じると、ガラス枠解錠保持部材の当接部が受け部に当接してガラス枠解錠保持部材が揺動し、その係止部の係止を解除して解錠状態を外し、ばね力によりガラス枠施錠杆を施錠位置に摺動させるので、ガラス枠を閉じたとき、少ない摩擦抵抗により軽く施錠することができる。
【００１４】
本発明の請求項２の施錠装置は、上記請求項１のパチンコ機の施錠装置において、上記シリンダ錠を取り付けた取付板の幅広部近傍における前記支持板と背面板に、開口部が形成され、該開口部の内側にカム室が形成され、該シリンダ錠の錠軸のカム部材が該カム室内で、前記中枠施錠杆、ガラス枠施錠杆及びロック部材に係合可能とされ、該カム室の側面から背面を覆うようにカバーが取り付けられたことを特徴とする。
【００１５】
この発明によれば、シリンダ錠の操作による解錠時、円滑に中枠施錠杆、ガラス枠施錠杆及びロック部材を摺動（揺動）させて解錠操作が可能となると共に、カム室の側面から背面をカバーにより覆って、不正器具による不正解錠をさらに効果的に防止することができる。
【発明の効果】
【００１６】
本発明のパチンコ機の施錠装置によれば、施錠状態において、中枠施錠杆とガラス枠施錠杆の両方が、ロック部材によって確実にロックされ、且つ受け部がロック部と鉤部により挟まれて保持され、解錠側への移動を阻止するので、針金などの不正器具により中枠施錠杆またはガラス枠施錠杆を不正に移動させて行われる不正解錠を効果的に防止することができる。
【００１７】
また、キーによる解錠操作時には、共通のロック部材を揺動させてロックを外し、少ない部材により中枠施錠杆またはガラス枠施錠杆を解錠方向に動かして、円滑に解錠することができる。また、解錠時、中枠施錠杆は中枠解錠保持部材により、ガラス枠施錠杆はガラス枠解錠保持部材によって、解錠状態に保持され、中枠またはガラス枠を閉じると、各々の解錠保持部材が受け部に当接して揺動し、自動的に解錠の自己保持状態が解除されて施錠状態となるので、中枠またはガラス枠を閉じたとき、少ない摩擦抵抗で、軽く施錠することができる。
【図面の簡単な説明】
【００１８】
【図１】本発明の一実施形態を示す施錠装置の正面図である。
【図２】その右側面図である。
【図３】その背面図である。
【図４】その斜視図である。
【図５】その分解斜視図である。
【図６】そのシリンダ錠近傍の拡大部分斜視図である。
【図７】カバーを外した状態のカム部材近傍の拡大部分斜視図（ａ）とその拡大部分右側面図（ｂ）である。
【図８】使用状態を示す施錠時の左側面図である。
【図９】中枠を解錠したときの左側面図である。
【図１０】ガラス枠を解錠したときの左側面図である。
【図１１】中枠を解錠したときの、カバーを外したカム部材近傍の拡大部分斜視図（ａ）とその拡大部分右側面図（ｂ）である。
【図１２】ガラス枠を解錠したときの、カバーを外したカム部材近傍の拡大部分斜視図（ａ）とその拡大部分右側面図（ｂ）である。
【図１３】中枠を解錠したときのシリンダ錠近傍の拡大部分斜視図（ａ）、ガラス枠を解錠したときのシリンダ錠近傍の拡大部分斜視図（ｂ）である。
【図１４】施錠時の上部拡大斜視図（ａ）、ガラス枠解錠時の上部拡大斜視図（ｂ）、中枠解錠時の拡大部分斜視図（ｃ）である。
【図１５】施錠時のガラス枠解錠保持部材近傍の拡大斜視図（ａ）、ガラス枠解錠時のガラス枠解錠保持部材近傍の斜視図（ｂ）である。
【図１６】中枠施錠時の中枠解錠保持部材近傍の動きを示す説明図である。
【図１７】ガラス枠施錠時のガラス枠解錠保持部材の動きを示す説明図である。
【発明を実施するための形態】
【００１９】
以下、本発明の実施例を図面に基づいて説明する。図１はパチンコ機用の施錠装置の正面図を、図２はその右側面図を、図３はその背面図を、図４はその斜視図を示し、これらの図に示す如く、この施錠装置は、概略的には、縦長の基枠体１の支持板１２に沿って中枠施錠杆２及びガラス枠施錠杆３が上下に摺動可能に配設され、基枠体１の正面に、支持板１２に対し略直角に設けた取付板１１に、シリンダ錠７が取り付けられ、シリンダ錠７の錠軸７ａにカム部材８が固定され、中枠施錠杆２及びガラス枠施錠杆３がカム部材８に係合可能とされ、基枠体１がパチンコ機の中枠９１に取り付けられ、中枠施錠杆２の背面側に突設された２個の鉤部２１，２２が本体枠９０側の受け部９３，９４に各々係止されて中枠９１を施錠し、ガラス枠施錠杆３の正面側に突設された３個の鉤部３１，３２，３３がガラス枠９２側の受け部９５、９６、９７に各々係止されてガラス枠９２を施錠するように構成される。
【００２０】
施錠装置の本体フレームを構成する基枠体１は、図５に示すように、正面側の断面コ字状部と背面側の断面Ｌ字状部を一体にして縦長のチャンネル材状に形成されている。また、断面コ字状部の正面側の板が取付板１１として形成され、取付板１１に対し支持板１２が取付板１１の左端から直角に背面側に向けて形成され、支持板１２は断面コ字状部と背面側の断面Ｌ字状部とを繋ぐ部分に取付板１１と直角に形成されている。また、断面Ｌ字状部の背面側には背面板１３が、支持板１２と直角に、且つ取付板１１と平行で取付板１１とは反対側（支持板１２の左側）に設けられている。
【００２１】
取付板１１の下部寄りに設けた幅広部には、シリンダ錠７がその錠軸７ａを支持板１２の内側に挿入するように取り付けられ、支持板１２の左側（正面視左側）に、中枠施錠杆２及びガラス枠施錠杆３が上下摺動可能に取り付けられ、中枠解錠保持部材４、ガラス枠解錠保持部材５、及びロック部材６が前後（上下）に揺動可能に枢支されている。
【００２２】
基枠体１の断面Ｌ字状部の背面側に設けた背面板１３には、図３、４に示すように、その上部と下部に開口部が設けられ、その開口部から背面側に中枠施錠杆２の鉤部２１，２２が突出する。施錠装置をパチンコ機の中枠９１に取り付ける際、取付板１１と背面板１３が取付部となり、そこに穿設された取付孔とビスにより、施錠装置の基枠体１が中枠９１の右側自由端側の内側に縦に取り付けられる。
【００２３】
このように、基枠体１は、横断面をコ字状とした断面コ字状部と横断面をＬ字状とした断面Ｌ字状部を一体に形成され、基枠体１の幅方向にそれら３個の角部が形成されるため、長手方向に対し充分な曲げ強度を持たせることができる。このような基枠体１は、金属板をプレス加工により折曲・裁断・打抜き加工するのみで製作することが可能である。
【００２４】
図４，５に示すように、基枠体１の下部には、合成樹脂製の滑動支持部材１９が背面側に突出するように固定されている。滑動支持部材１９はその突出部が先細り形状に形成され、且つ突出部下面を傾斜面として形成され、中枠９１を本体枠９０に対し閉じる際、本体枠９０内の下部（または滑り板）に乗り上げるように作用して、中枠９１の重量による下方へのずれを修正するものである。また、この滑動支持部材１９は、基枠体１の断面Ｌ字状部つまり支持板１２と背面板１３の下部に嵌着され、支持板１２と背面板１３を直角状態に保持して、断面Ｌ字状部の断面形状の変形を防止し、堅固にその形状を保持するようにしている。
【００２５】
取付板１１の下部寄りの幅広部は、断面コ字状部の正面左側つまり取付板１１の左側に膨出して形成され、そこには、シリンダ錠７を挿入するための開口孔が設けられる。図７のように、シリンダ錠７は、取付板１１の幅広部の背面側からその外筒部を前方に突き出すように挿入され、そのフランジ７ｂを幅広部の背面側に当てて固定される。図５，７などの如く、取付板１１の幅広部近傍における支持板１２と背面板１３の部位に、開口部が形成され、開口部の内側空間にはカム室１４が形成されている。
【００２６】
図７，１１に示すように、シリンダ錠７の錠軸７ａにカム部材８が固定され、カム部材８はカム室１４内で回動可能となっている。カム部材８には第１係合凸部８ａと第２係合凸部８ｂが突設され、カム部材８の第１係合凸部８ａ、第２係合凸部８ｂは、後述のように、ロック部材６及び中枠施錠杆２またはガラス枠施錠杆３に対し係合可能となっている。また、図３に示すように、カム室１４の側面から背面を覆うようにカバー１８が取り付けられ、カム室１４はカバー１８により覆われ、不正に挿入された不正器具がカム部材８に到達しないようにしている。
【００２７】
シリンダ錠７とその錠軸７ａに固定されたカム部材８は、キーをシリンダ錠７に差し込み、右に回したとき、図９，図１２、図１３ａに示すように、カム部材８が同方向に回動し、その第１係合凸部８ａがロック部材６と共に中枠施錠杆２の係合部２３（図５）に係合し、それを上方に摺動させるようになっている。一方、キーをシリンダ錠７に差し込み、左に回したときには、図１０，図１１，図１３ｂに示すように、カム部材８が同方向に回動し、その第２係合凸部８ｂがロック部材６と共にガラス枠施錠杆３の係合部３４に係合し、それを下方に摺動させるようになっている。
【００２８】
図１，９，１０などに示すように、支持板１２の左側に、中枠施錠杆２、ガラス枠施錠杆３、中枠解錠保持部材４、ガラス枠解錠保持部材５、及びロック部材６が配置される。中枠施錠杆２の鉤部２１，２２は、上記のように、断面Ｌ字状部の背面側の背面板１３に設けた開口部から背面側に突出するように取り付けられる。中枠施錠杆２、ガラス枠施錠杆３及びロック部材６は、６本のガイドピン７１〜７６とガイド孔を介して上下摺動可能に支持板１２の左側に装着されている。
【００２９】
図５に示すように、中枠施錠杆２及びガラス枠施錠杆３には、長手方向に沿ってガイド孔が形成され、それらのガイド孔にガイドピン７１〜７６が各々挿入され、各ガイドピン７１〜７６の先端が支持板１２に固定され、中枠施錠杆２及びガラス枠施錠杆３は所定の範囲で上下に摺動可能に取り付けられている。
【００３０】
つまり、中枠施錠杆２には、その上部、中間部、下部にガイド孔７２ａ、７３ａ、７４ａ、７５ａが形成され、それらのガイド孔７２ａ、７３ａ、７４ａ、７５ａに、ガイドピン７２，７３，７４，７５が挿通され、中枠施錠杆２が、ガイド孔７２ａ、７３ａ、７４ａ、７５ａによって制限される施錠位置と解錠位置の範囲内で、上下摺動するようにガイドされる。また、中枠施錠杆２の曲折した下部には、上記のように、ロック部材６が枢軸６１により揺動可能に軸支されている。一方、ガラス枠施錠杆３には、その上部、中間部、下部にガイド孔７１ａ、７３ｂ、７４ｂ、７６ａが形成され、それらのガイド孔７１ａ、７３ｂ、７４ｂ、７６ａに、ガイドピン７１，７３，７４，７６が挿通され、ガラス枠施錠杆３が、ガイド孔７１ａ、７３ｂ、７４ｂ、７６ａによって制限される施錠位置と解錠位置の範囲内で、上下摺動するようにガイドされる。
【００３１】
中枠施錠杆２は、図５に示すように、帯板の上部と下部にフック状の鉤部２１，２２を背面側に突出して形成される。中枠施錠杆２の下寄り（シリンダ錠７のカム部材８に対向した位置）に、係合部２３が長孔の縁部として設けられ、上記のように、カム部材８の第１係合凸部８ａが係合可能である。また、中枠施錠杆２と支持板１２間にガラス枠施錠杆３が上下摺動可能に配設される。
【００３２】
図５に示すように、ガラス枠施錠杆３には３本の鉤部３１，３２，３３が正面側に向けて突設される。ガラス枠施錠杆３の下寄り（シリンダ錠７のカム部材８に対向した位置）に、係合部３４が長孔の縁部として設けられ、上記のように、カム部材８の第２係合凸部８ｂがその係合部３４に係合可能である。
【００３３】
さらに、中枠施錠杆２と支持板１２の間に、中枠解錠保持部材４が枢軸４１を軸に前後（上下）に揺動可能に、支持板１２に対し枢支される。この中枠解錠保持部材４は、図１６に示すように、キーによるシリンダ錠７の解錠操作時に、中枠施錠杆２が解錠位置まで上昇したとき、中枠解錠保持部材４の係止部４２を中枠施錠杆２の係止凹部２４に係止させ、中枠施錠杆２を解錠位置に保持するようになっている。また、中枠解錠保持部材４には、中枠９１を閉鎖したとき、本体枠９０側の受け部９３に当接可能な当接部４４が設けられ、その当接部４４が受け部９３に当接することにより、中枠解錠保持部材４が揺動して、係止部４２が係止凹部２４から外れ、コイルばね１６のばね力により中枠施錠杆２が施錠位置まで下降して、中枠９１を施錠するようになっている。
【００３４】
さらに、この中枠解錠保持部材４には、図１６に示すように、中枠９１の施錠時に、鉤部２１との間で受け部９３を挟みこむようにロックするロック部４３が、当接部４４の反鉤部側に、つまり鉤部２１と対向する位置に突設されている。この中枠解錠保持部材４のロック部４３は、図１６のように、中枠９１を本体枠９０に対し閉じたとき、当接部４４が受け部９３に当接して中枠解錠保持部材４が図１６の時計方向に僅かに回動し、そのとき、係止部４２が係止凹部２４から外れ、コイルばね１６のばね力により中枠施錠杆２が下降して、鉤部２１が受け部９３に係止されたとき、受け部９３を鉤部２１とロック部４３間で挟むようにしてロックし、中枠施錠杆２の解錠方向（上方向）への移動を阻止する構造となっている。
【００３５】
さらに、ガラス枠施錠杆３と支持板１２間の中間部に、ガラス枠解錠保持部材５が枢軸５１を軸に前後（上下）に揺動可能に、支持板１２に対し枢支される。このガラス枠解錠保持部材５は、図１７に示すように、キーによるガラス枠の解錠操作時に、ガラス枠施錠杆３が解錠位置まで下降したとき、ガラス枠解錠保持部材５の係止部５２をガラス枠施錠杆３の係止凹部３５に係止させ、ガラス枠施錠杆３を解錠位置に保持するようになっている。また、ガラス枠解錠保持部材５には、ガラス枠９２を閉鎖したとき、ガラス枠９２側の受け部９６に当接可能な当接部５４が設けられ、その当接部５４が受け部９６に当接することにより、係止部５２が係止凹部３５から外れ、コイルばね１５のばね力によりガラス枠施錠杆３を施錠位置まで上昇させて施錠するようになっている。
【００３６】
さらに、このガラス枠解錠保持部材５には、図１７に示すように、ガラス枠９２の施錠時に、鉤部３２との間で受け部９６を挟みこむようにロックするロック部５３が、当接部５４の反鉤部側に、つまり鉤部３２と対向する位置に突設されている。このガラス枠解錠保持部材５のロック部５３は、図１７のように、ガラス枠９２を中枠９１に対し閉じたとき、当接部５４が受け部９６に当接してガラス枠解錠保持部材５が図１７の時計方向に僅かに回動し、そのとき、係止部５２が係止凹部３５から外れ、コイルばね１５のばね力によりガラス枠施錠杆３が上昇して、鉤部３２が受け部９６に係止されたとき、受け部９６を鉤部３２とロック部５３間で挟むようにしてロックし、ガラス枠施錠杆３の解錠方向（下方向）への移動を阻止するように構造となっている。
【００３７】
さらに、図５、図７に示すように、施錠状態における中枠施錠杆２とガラス枠施錠杆３をロックするロック部材６が、カム室１４内の中枠施錠杆２の内側に、枢軸６１を介して僅かな角度範囲で揺動可能に取り付けられている。図５に示すように、ロック部材６には、ロック係止部６２が中枠施錠杆２とガラス枠施錠杆３側に曲折して設けられ、ロック係止部６２は、施錠時に、中枠施錠杆２に設けたロック凹部２５とガラス枠施錠杆３に設けたロック凹部３６（図５，図６）に嵌入し、中枠施錠杆２及びガラス枠施錠杆３の解錠方向への移動を阻止するようになっている。ロック部材６は、中枠施錠杆２の内側に枢支されるが、コイルばね１７がロック部材６と中枠施錠杆２間に掛けられ、ロック部材６はコイルばね１７により、そのロック係止部６２を係止させる方向に付勢される。
【００３８】
さらに、ロック部材６には、図５、図７に示すように、２個の傾斜部６３，６４が設けられ、解錠時にカム部材８が回動したとき、カム部材８の第１係合凸部８ａが傾斜部６３に接触し、または第２係合凸部８ｂが傾斜部６４に接触して、ロック部材６が枢軸６１を軸に回動し、そのロック係止部６２の係止を外すようになっている。
【００３９】
図５、７に示すように、シリンダ錠７の錠軸７ａに取り付けられたカム部材８には、第１係合凸部８ａと第２係合凸部８ｂが突設され、図１３ａのように、シリンダ錠７に挿入したキーを右に（時計方向に）回したとき、第１係合凸部８ａが中枠施錠杆２の係合部２３（図５，６）に係合して、これを上昇させ、解錠動作するが、この直前に、図１２に示す如く、カム部材８の第１係合凸部８ａがロック部材６の傾斜部６３に接触し、ロック部材６を回動させ、そのロック係止部６２をロック凹部２５，３６から外す構造となっている。また、図１３ｂのように、シリンダ錠７に挿入したキーを左に（反時計方向に）回したとき、第２係合凸部８ｂがガラス枠施錠杆３の係合部３４（図５，図１３ｂ）に係合して、これを下降させ、解錠動作するが、この直前に、図１１に示すように、カム部材８の第２係合凸部８ｂがロック部材６の傾斜部６４に接触し、ロック部材６を回動させ、そのロック係止部６２をロック凹部２５，３６から外す構造となっている。
【００４０】
このように、１本のロック部材６を使用して、中枠施錠杆２とガラス枠施錠杆３の両方を、施錠状態でロックするようになっており、少ない部品点数で、施錠状態における中枠施錠杆２とガラス枠施錠杆３の両方をロックすることができる。また、シリンダ錠７を使用する解錠時には、カム部材８の回動に応じてロック部材６を円滑に揺動させてロックを外し、円滑に解錠操作を行なうことができる。
【００４１】
図５に示すように、中枠施錠杆２とガラス枠解錠保持部材５間には、コイルばね１６が掛け渡され、このコイルばね１６により、中枠施錠杆２は下方の施錠側に付勢され、ガラス枠解錠保持部材５はその係止部５２をガラス枠施錠杆３に係止させる側に付勢される。また、ガラス枠施錠杆３と中枠解錠保持部材４間には、コイルばね１５が掛け渡され、このコイルばね１５によりガラス枠施錠杆３は上方（施錠側）に付勢され、中枠解錠保持部材４はその係止部４２をガラス枠施錠杆３に係止させる側に付勢される。したがって、解錠時には、カム部材８の回動により、コイルばね１６によるばね力に抗して中枠施錠杆２が上方に摺動し、同様にコイルばね１５によるばね力に抗してガラス枠施錠杆３が下方に摺動することとなる。
【００４２】
このように構成された施錠装置は、図８に示すように、基枠体１が、パチンコ機における中枠９１の自由端側の右端に縦に、且つ鉤部２１，２２を本体枠９０側に向けた状態で装着される。一方、本体枠９０の右側壁部の内側における上記鉤部２１，２２に対応した上下位置に、受け部９３、９４が固定され、この受け部９３、９４に鉤部２１，２２が係止されて、中枠９１が施錠される。なお、受け部９３は、図１６に示すように、中枠９１を閉じた際、中枠解錠保持部材４の当接部４４が当接可能に形成される。
【００４３】
一方、中枠９１の前面にガラス枠（遊技盤を覆う透明板を装着した前扉）９２が開閉可能に取り付けられる。そのガラス枠９２の右端自由端側の内側に、ガラス枠施錠杆３の鉤部３１、３２、３３が係止される受け部９５，９６，９７が、各々対応した箇所に設けられる。なお、中間位置の受け部９６は、図１７に示すように、ガラス枠９２を閉じた際、ガラス枠解錠保持部材５の当接部５４が当接可能に形成される。また、ガラス枠９２の受け部９５，９６，９７は、図８では別個に形成されているが、縦長の受け金具内に一体に形成することもできる。
【００４４】
上記構成の施錠装置は、上記の如く、パチンコ機の中枠９１の右端自由端側に縦に固定されて使用されるが、施錠機構の主要部となる中枠施錠杆２、ガラス枠施錠杆３は基枠体１の支持板１２の左側面（反自由端側）に装着され、中枠９１の自由端側に生じやすい隙間に対して支持板１２が壁となる。また、支持板１２及び背面板１３に設けたカム室１４は支持板１２の右側面からカバー１８で覆われている。このため、施錠した状態で、本体枠９０と中枠９１の右端自由端側の隙間、或いは中枠９１とガラス枠９２の右端自由端側の隙間などから、不正解錠を狙って針金などの不正器具を差し込まれたとしても、基枠体１の支持板１２、カバー１８などが壁となって、不正器具が中枠施錠杆２、ガラス枠施錠杆３、ロック部材６などへの到達は難しく、不正解錠を防止することができる。
【００４５】
パチンコ機の中枠９１が解錠された状態において、中枠９１を本体枠９０に対し閉じると、図１６に示すように、中枠解錠保持部材４の当接部４４が本体枠９０側の受け部９３に当接し、このとき、中枠解錠保持部材４はコイルばね１５の付勢力に抗して図１６の時計方向に僅かに回動する。この中枠解錠保持部材４の回動により、係止部４２が中枠施錠杆２の係止凹部２４から外れ、これにより、中枠施錠杆２がコイルばね１６の付勢力により下降し、中枠施錠杆２の鉤部２１，２２が図１６のように下降し、鉤部２１，２２が受け部９３、９４に係止され施錠状態となる。なお、中枠９１の解錠時、図１３に示すように、ロック部材６のロック係止部６２はロック凹部３６から外れているので、中枠施錠杆２は摺動可能である。
【００４６】
このような中枠９１の施錠時、図１６に示すように、コイルばね１６のばね力により中枠施錠杆２が下降して、鉤部２１が受け部９３に係止されたとき、受け部９３が鉤部２１とロック部４３間で挟むようにしてロックされた状態となるので、仮に、中枠施錠杆２や基枠体１が解錠方向（上方向）に不正に持ち上げられたとしても、中枠施錠杆２や基枠体１は移動できず、不正解錠を阻止することができる。
【００４７】
一方、パチンコ機のガラス枠９２が開放された状態において、ガラス枠９２を中枠９１に対し閉じると、図１７に示すように、ガラス枠解錠保持部材５の当接部５４が中枠９１側の受け部９６に当接し、これにより、ガラス枠解錠保持部材５が図１７の時計方向に僅かに回動する。このとき、ガラス枠解錠保持部材５の係止部５２がガラス枠施錠杆３の係止凹部３５から外れ、ガラス枠施錠杆３がコイルばね１５の付勢力により上昇する。これにより、ガラス枠施錠杆３の鉤部３１，３２，３３がガラス枠９２側の受け部９５，９６，９７に係止され、ガラス枠９２は図８に示すように施錠状態となる。
【００４８】
このようなガラス枠９２の施錠時、図１７に示すように、コイルばね１５のばね力によりガラス枠施錠杆３が上昇して、鉤部３２が受け部９６に係止されたとき、受け部９６が鉤部３２とロック部５３間で挟むようにしてロックされた状態となるので、仮に、ガラス枠施錠杆３や基枠体１が解錠方向（上方向）に不正に持ち上げられたとしても、ガラス枠施錠杆３や基枠体１は移動できず、不正解錠を阻止することができる。
【００４９】
このように、中枠９１、ガラス枠９２を施錠した状態では、中枠解錠保持部材４のロック部４３と鉤部２１間で受け部９３を挟むようにロックし、ガラス枠解錠保持部材５のロック部５３と鉤部３２間で受け部９６を挟むようにロックするので、施錠状態を強固に維持することができる。
【００５０】
中枠９１を解錠する場合、シリンダ錠７に挿入したキーを右に回す。このとき、カム部材８が図１２の矢印方向（反時計方向）に回動すると、カム部材８の第１係合凸部８ａが、まずロック部材６の傾斜部６３に係合して、図１２のように、ロック部材６を揺動させる。これにより、図１２（ｂ）、図１３（ａ）に示すように、ロック部材６のロック係止部６２が中枠施錠杆２のロック凹部２５から外れ、ロック部材６による中枠施錠杆２のロックを解除し、中枠施錠杆２は上昇可能となる。
【００５１】
この後、カム部材８の第１係合凸部８ａが上記と同方向にさらに回動すると、第１係合凸部８ａが中枠施錠杆２の係合部２３に係合して、中枠施錠杆２が第１係合凸部８ａにより押し上げられる。このとき、図９に示すように、中枠施錠杆２はコイルばね１６の付勢力に抗して上方に摺動し、その鉤部２１，２２が上昇して、本体枠９０側の受け部９３、９４から離れ、中枠９１が解錠される。このような、中枠９１の解錠時、中枠施錠杆２が解錠位置まで上昇すると、その中枠施錠杆２の一部に設けた係止凹部２４が中枠解錠保持部材４の係止部４２の位置に達し、このとき、コイルばね１５の付勢力により中枠解錠保持部材４が枢軸４１を軸に回動し、その係止部４２が係止凹部２４に嵌入するので、中枠施錠杆２は、図９、図１４（ｃ）に示すように、解錠位置に自己保持される。
【００５２】
一方、ガラス枠９２を解錠する場合は、キーをシリンダ錠７に差し込み、左に回すと、カム部材８が図１１の矢印方向（時計方向）に回動し、カム部材８の第２係合凸部８ｂは、先ず、ロック部材６の傾斜部６４に係合して、図１１（ａ）のように、ロック部材６を揺動させる。これにより、図１１（ｂ）に示すように、ロック部材６のロック係止部６２がロック凹部２５、３６から外れ、ロック部材６によるガラス枠施錠杆３のロックを解除し、ガラス枠施錠杆３は上昇可能となる。
【００５３】
この後、カム部材８の第２係合凸部８ｂが上記と同方向にさらに回動すると、第２係合凸部８ｂがガラス枠施錠杆３の係合部３４に係合して、ガラス枠施錠杆３が第２係合凸部８ｂにより押し下げられる。このとき、図１０に示すように、ガラス枠施錠杆３はコイルばね１５の付勢力に抗して下方に摺動し、その鉤部３１，３２，３３が下降して、ガラス枠９２側の受け部９５、９６，９７から離れ、ガラス枠９２が解錠される。このような、ガラス枠９２の解錠時、ガラス枠施錠杆３が解錠位置まで下降すると、そのガラス枠施錠杆３の一部に設けた係止凹部３５がガラス枠解錠保持部材５の係止部５２の位置に達し、このとき、コイルばね１６の付勢力によりガラス枠解錠保持部材５が枢軸５１を軸に回動し、その係止部５２が係止凹部３５に嵌入するので、ガラス枠施錠杆３は、図１０、図１４（ｂ）に示すように、解錠位置に自己保持される。
【００５４】
このように、施錠状態において、ロック部材６がそのロック係止部６２を、中枠施錠杆２及びガラス枠施錠杆３のロック凹部３６に係止させて中枠施錠杆２及びガラス枠施錠杆３の摺動をロックするので、シリンダ錠７を使用せずに不正に中枠施錠杆２またはガラス枠施錠杆３を解錠側に摺動させようとしても、不可能となり、不正解錠を防止することができる。
【００５５】
また、中枠解錠保持部材４には、中枠施錠杆２の鉤部２１が受け部９３に係止されたとき、その鉤部２１との間で受け部９３を挟む位置にロック部４３が設けられるので、中枠施錠杆２または基枠体１がその鉤部２１を受け部９３から外す側に不正に力を受けた場合でも、中枠施錠杆２または基枠体１は、受け部９３がロック部４３と鉤部２１により挟まれて解錠側に移動できず、中枠９１の不正解錠を防止することができる。
【００５６】
また、ガラス枠解錠保持部材５には、ガラス枠施錠杆３の鉤部３２が受け部９６に係止されたとき、その鉤部３２との間で受け部９６を挟む位置にロック部５３が設けられるので、ガラス枠施錠杆３または基枠体１がその鉤部３２を受け部９６から外す側に不正に力を受けた場合でも、ガラス枠施錠杆３または基枠体１は受け部９６がロック部５３と鉤部３２により挟まれて移動できず、ガラス枠９２の不正解錠を防止することができる。
【００５７】
さらに、シリンダ錠７による解錠時、カム部材８が回動してロック部材６を揺動させ、そのロック係止部６２のロック凹部２５，３６への係止を解除するので、中枠施錠杆２またはガラス枠施錠杆３が摺動可能となって解錠位置まで摺動し、それにより中枠施錠杆２の鉤部２１，２２が受け部９３，９４から外れ、或いはガラス枠施錠杆３の鉤部３１，３２，３３が受け部９５，９６，９７から外れて、解錠され、さらに、中枠施錠杆２が解錠側の端部まで移動したとき、中枠解錠保持部材４の係止部４２を中枠施錠杆２の係止凹部２４に係止させて解錠状態を保持し、同様に、ガラス枠施錠杆３が解錠側の端部まで移動したとき、ガラス枠解錠保持部材５の係止部５２をガラス枠施錠杆３の係止凹部３５に係止させて解錠状態を保持する。
【００５８】
そのような解錠状態で、中枠９１を閉じると、中枠解錠保持部材４の当接部４４が受け部９３に当接して中枠解錠保持部材４が揺動し、その係止部４２の係止を解除して解錠状態を外し、ばね力により中枠施錠杆２を施錠位置に摺動させるので、中枠９１を閉じたとき、少ない摩擦抵抗により軽く施錠することができる。また、ガラス枠９２を閉じると、ガラス枠解錠保持部材５の当接部５４が受け部９６に当接してガラス枠解錠保持部材５が揺動し、その係止部５２の係止を解除して解錠状態を外し、ばね力によりガラス枠施錠杆３を施錠位置に摺動させるので、ガラス枠９２を閉じたとき、少ない摩擦抵抗により軽く施錠することができる。
【符号の説明】
【００５９】
１      基枠体
２      中枠施錠杆
３      ガラス枠施錠杆
４      中枠解錠保持部材
５      ガラス枠解錠保持部材
６      ロック部材
７      シリンダ錠
７ａ    錠軸
８      カム部材
１１    取付板
１２    支持板
１４    カム室
１８    カバー
２１    鉤部
２３    係合部
２４    係止凹部
２５    ロック凹部
３１    鉤部
３２    鉤部
３４    係合部
３５    係止凹部
３６    ロック凹部
４１    枢軸
４２    係止部
４３    ロック部
４４    当接部
５１    枢軸
５２    係止部
５３    ロック部
５４    当接部
６１    枢軸
６２    ロック係止部
６３    傾斜部
６４    傾斜部
【図１】
0005336446.tif 000002
【図２】
0005336446.tif 000003
【図３】
0005336446.tif 000004
【図４】
0005336446.tif 000005
【図５】
0005336446.tif 000006
【図６】
0005336446.tif 000007
【図７】
0005336446.tif 000008
【図８】
0005336446.tif 000009
【図９】
0005336446.tif 000010
【図１０】
0005336446.tif 000011
【図１１】
0005336446.tif 000012
【図１２】
0005336446.tif 000013
【図１３】
0005336446.tif 000014
【図１４】
0005336446.tif 000015
【図１５】
0005336446.tif 000016
【図１６】
0005336446.tif 000017
【図１７】
0005336446.tif 000018